(57)【特許請求の範囲】
【請求項１】
一般軸対称タンクの内部の液を非粘性と仮定して非粘性流体の変分原理に基く非粘性スロッシングのモード方程式を求め、次に、ナヴィエ−ストークス方程式の粘性項にて、タンク壁面にできる粘性境界層内での仮想仕事をモード座標で表し、該モード座標で表された上記タンク壁面にできる粘性境界層内での仮想仕事を、上記非粘性スロッシングのモード方程式に加えて、速度項に対応するモード座標の時間による１階微分項を含むモード方程式を求めることを特徴とするタンク内スロッシングの減衰比予測方法。
【請求項２】
一般軸対称タンクを、球座標で表される球形タンクとし、該球形タンクの内部の液を非粘性と仮定して非粘性流体の変分原理に基く非粘性スロッシングのモード方程式を求め、次に、ナヴィエ−ストークス方程式の粘性項にて、上記球形タンクのタンク壁面にできる粘性境界層内での仮想仕事をモード座標で表し、該モード座標で表された上記タンク壁面にできる粘性境界層内での仮想仕事を、上記非粘性スロッシングのモード方程式に加えて、速度項に対応するモード座標の時間による１階微分項を含むモード方程式を求めるようにする請求項１記載のタンク内スロッシングの減衰比予測方法。
【請求項３】
一般軸対称タンクを、円筒座標で表される円筒タンクとし、該円筒タンクの内部の液を非粘性と仮定して非粘性流体の変分原理に基く非粘性スロッシングのモード方程式を求め、次に、ナヴィエ−ストークス方程式の粘性項にて、上記円筒タンクのタンク側壁にできる粘性境界層内での仮想仕事と、タンク底面にできる粘性境界層内での仮想仕事をそれぞれモード座標で表し、該各モード座標で表された上記タンク側壁及び底面にできる粘性境界層内での仮想仕事を、上記非粘性スロッシングのモード方程式に加えて、速度項に対応するモード座標の時間による１階微分項を含むモード方程式を求めるようにする請求項１記載のタンク内スロッシングの減衰比予測方法。
【発明の詳細な説明】
【技術分野】
【０００１】
本発明は、タンク内に貯蔵された液体に生じるスロッシングについて解析を行う際に必要とされるスロッシングのモード減衰比を予測できるようにするために用いるタンク内スロッシングの減衰比予測方法に関するものである。
【背景技術】
【０００２】
地震の影響を受ける液体貯蔵タンクや、宇宙機の推進薬タンクについてタンク構造設計を行う場合は、これらのタンク内で生じる液体のスロッシングに伴うスロッシング動液圧による荷重の正確な予測が必要不可欠である。そのため、上記のようなタンク内の液体のスロッシングは、重要な研究課題となっている。
【０００３】
ところで、実際上は、タンク加振入力に対する液体の基本次モードが共振する場合が多くあり、このような共振下においては、タンク内で生じる液体のスロッシングのモード減衰比を正確に知ることが、上記タンク内液体のスロッシングによるスロッシング波高、タンクに作用する力、モーメントの計算に必要である。
【０００４】
上記のようなタンク内液体のスロッシングについて、従来は、固有振動数の計算法はよく確立されているが、減衰比に関しては、実験的研究が主体であり、この実験的研究によりいくつかの経験式が報告されている（たとえば、非特許文献１、非特許文献２、非特許文献３参照）。
【０００５】
又、タンク内液体のスロッシングのモード減衰比を理論的に求める方法としては、ベクトルポテンシャルを用いて円筒タンク内のスロッシングに適用する手法が従来提案されている(たとえば、非特許文献４参照)。
【０００６】
なお、本発明者は、低重力空間における軸対称容器内のスロッシングについて、非粘性スロッシングのモード方程式を導く方法を提案している(たとえば、非特許文献５参照)。
【先行技術文献】
【非特許文献】
【０００７】
【非特許文献１】アブラムソン（Abramson,H.N.）編，「運動する容器内の液体の動的挙動（The Dynamic Behavior of Liquids in Moving Containers）」，ＮＡＳＡ  ＳＰ−１０６，（米国），アメリカ航空宇宙局（ＮＡＳＡ），１９６６年，第４章（Chapter 4）ｐ．１０５−１４３
【非特許文献２】ベン・ハー・チュー（W.H.Chu）,「任意の液深の球タンク内の燃料スロッシング（Fuel Sloshing in a Spherical Tank Filled to an Arbitrary Depth）」，ＡＩＡＡ  ｊｏｕｒｎａｌ，（米国），１９６４年，Ｖｏｌ２，Ｎｏ１１，ｐ．１９７２−１９７９
【非特許文献３】「推進薬のスロッシング荷重（Propellant slosh loads）」，ＮＡＳＡ  ＳＰ−８００９，（米国），アメリカ航空宇宙局（ＮＡＳＡ），１９６８年，ｐ．１４
【非特許文献４】ケース（Case,K.M.），パーキンソン（Parkinson,W.C.），「非圧縮液体の表面波の減衰（Damping of surface waves in an incompressible liquid）」，Ｊｏｕｒｎａｌ  ｏｆ  Ｆｌｕｉｄ  Ｍｅｃｈａｎｉｃｓ，１９５７年，Ｖｏｌ．２，Ｎｏ．２，ｐ．１７２−１８４
【非特許文献５】内海雅彦，「低重力空間における軸対称容器内のスロッシング」，日本機械学会論文集，１９８８年，Ｖｏｌ．５５，Ｎｏ．５０５（Ｃ），ｐ２０４１−２０５０
【発明の概要】
【発明が解決しようとする課題】
【０００８】
ところが、上記非特許文献１、２、３に示されたように、タンク内液体のスロッシングについて実験的研究を行う手法では、パラメータスタディのために多くの時間とコストが必要とされるため、不便である。
【０００９】
又、非特許文献４に示されたタンク内液体のスロッシングのモード減衰比を理論的に求める従来の方法は、ベクトルポテンシャルを用いているため、解析が非常に複雑であり、そのため、円筒タンク以外の球形等の一般軸対称タンクへ適用するのは困難である。
【００１０】
なお、非特許文献５では、一般軸対称タンクのタンク内液体のスロッシングのモード減衰比の予測については特に触れていない。
【００１１】
そこで、本発明は、円筒タンクのみならず、球形タンク、楕円体形タンク、円筒形の胴部と該胴部の両端部に接続された半球形または半楕円体形の鏡板部を有するタンク等の一般軸対称タンクについても、タンク内液体のスロッシングの減衰比を理論的に、且つ容易に予測することができるようにするために用いるタンク内スロッシングの減衰比予測方法を提供しようとするものである。
【課題を解決するための手段】
【００１２】
本発明は、上記課題を解決するために、請求項１に対応して、一般軸対称タンクの内部の液を非粘性と仮定して非粘性流体の変分原理に基く非粘性スロッシングのモード方程式を求め、次に、ナヴィエ−ストークス方程式の粘性項にて、タンク壁面にできる粘性境界層内での仮想仕事をモード座標で表し、該モード座標で表された上記タンク壁面にできる粘性境界層内での仮想仕事を、上記非粘性スロッシングのモード方程式に加えて、速度項に対応するモード座標の時間による１階微分項を含むモード方程式を求めるようにする。
【００１３】
又、上記構成において、一般軸対称タンクを、球座標で表される球形タンクとし、該球形タンクの内部の液を非粘性と仮定して非粘性流体の変分原理に基く非粘性スロッシングのモード方程式を求め、次に、ナヴィエ−ストークス方程式の粘性項にて、上記球形タンクのタンク壁面にできる粘性境界層内での仮想仕事をモード座標で表し、該モード座標で表された上記タンク壁面にできる粘性境界層内での仮想仕事を、上記非粘性スロッシングのモード方程式に加えて、速度項に対応するモード座標の時間による１階微分項を含むモード方程式を求めるようにする。
【００１４】
同様に、上記構成において、一般軸対称タンクを、円筒座標で表される円筒タンクとし、該円筒タンクの内部の液を非粘性と仮定して非粘性流体の変分原理に基く非粘性スロッシングのモード方程式を求め、次に、ナヴィエ−ストークス方程式の粘性項にて、上記円筒タンクのタンク側壁にできる粘性境界層内での仮想仕事と、タンク底面にできる粘性境界層内での仮想仕事をそれぞれモード座標で表し、該各モード座標で表された上記タンク側壁及び底面にできる粘性境界層内での仮想仕事を、上記非粘性スロッシングのモード方程式に加えて、速度項に対応するモード座標の時間による１階微分項を含むモード方程式を求めるようにする。
【発明の効果】
【００１５】
本発明のタンク内スロッシングの減衰比予測方法によれば、以下のような優れた効果を発揮する。
（１）一般軸対称タンクの内部の液を非粘性と仮定して非粘性流体の変分原理に基く非粘性スロッシングのモード方程式を求め、次に、ナヴィエ−ストークス方程式の粘性項にて、タンク壁面にできる粘性境界層内での仮想仕事をモード座標で表し、該モード座標で表された上記タンク壁面にできる粘性境界層内での仮想仕事を、上記非粘性スロッシングのモード方程式に加えて、速度項に対応するモード座標の時間による１階微分項を含むモード方程式を求めるようにし、より具体的には、一般軸対称タンクを、球座標で表される球形タンクとし、該球形タンクの内部の液を非粘性と仮定して非粘性流体の変分原理に基く非粘性スロッシングのモード方程式を求め、次に、ナヴィエ−ストークス方程式の粘性項にて、上記球形タンクのタンク壁面にできる粘性境界層内での仮想仕事をモード座標で表し、該モード座標で表された上記タンク壁面にできる粘性境界層内での仮想仕事を、上記非粘性スロッシングのモード方程式に加えて、速度項に対応するモード座標の時間による１階微分項を含むモード方程式を求めるようにするようにしてあるので、従来のベクトルポテンシャルを用いて減衰比を理論的に求める方法では解析が非常に複雑になるために適用するのが困難であった円筒タンク以外の球形タンクや、その他の一般軸対称タンクについても、容易な解析で減衰比を理論的に求めることができる。
（２）一般軸対称タンクを、円筒座標で表される円筒タンクとし、該円筒タンクの内部の液を非粘性と仮定して非粘性流体の変分原理に基く非粘性スロッシングのモード方程式を求め、次に、ナヴィエ−ストークス方程式の粘性項にて、上記円筒タンクのタンク側壁にできる粘性境界層内での仮想仕事と、タンク底面にできる粘性境界層内での仮想仕事をそれぞれモード座標で表し、該各モード座標で表された上記タンク側壁及び底面にできる粘性境界層内での仮想仕事を、上記非粘性スロッシングのモード方程式に加えて、速度項に対応するモード座標の時間による１階微分項を含むモード方程式を求めるようにすることにより、円筒タンクのタンク内スロッシングの減衰比を理論的に求めることができると共に、従来のベクトルポテンシャルを用いて減衰比を理論的に求める方法に比して、解析を大幅に容易なものとすることができる。
【図面の簡単な説明】
【００１６】
【図１】本発明のタンク内スロッシングの減衰比予測方法の実施の一形態として、円筒タンクに適用する場合の該円筒タンクの円筒座標を示す図である。
【図２】図１の減衰比予測方法により決定されるモード減衰比より導かれる対数減衰率（Logarithmic decrement）の無次元深さ（Dimensionless liquid depth）に対する依存性を示すもので、（イ）はタンク半径を０．０７６ｍとした場合の図、（ロ）はタンク半径を０．０３８ｍとした場合の図である。
【図３】図１の減衰比予測方法により決定されるモード減衰比より導かれる対数減衰率（Logarithmic decrement）のパラメータ依存性を示すもので、（イ）は粘性係数（Dynamic viscosity）に対する依存性を示す図、（ロ）はタンク半径（Tank radius）に対する依存性を示す図、（ハ）は重力加速度（Gravitational acceleration）に対する依存性を示す図である。
【図４】本発明の他の実施の形態として、一般軸対称タンクとしての球形タンクに適用する場合の該球形タンクの球座標を示す図である。
【図５】図４の減衰比予測方法により決定される減衰比より導かれる対数減衰率（Logarithmic decrement）の液体充填率（液体の体積／タンクの体積）に対する依存性を示す図である。
【図６】図４の減衰比予測方法で用いる球形タンクの液体充填率（液体の体積／タンクの体積）について、非粘性スロッシング問題の代表的パラメータとの相関を示すもので、（イ）は無次元固有振動数（Dimensionless frequency）との相関を示す図、（ロ）はスロッシングマス（Dimensionless sloshing mass）との相関を示す図である。
【図７】図４の減衰比予測方法により決定される減衰比より導かれる対数減衰率（Logarithmic decrement）のパラメータ依存性を示すもので、（イ）は粘性係数（Dynamic viscosity）に対する依存性を示す図、（ロ）はタンク半径（Tank radius）に対する依存性を示す図、（ハ）は重力加速度（Gravitational acceleration）に対する依存性を示す図である。
【発明を実施するための形態】
【００１７】
以下、本発明を実施するための形態を図面を参照して説明する。
【００１８】
図１乃至図３（イ）（ロ）（ハ）は本発明のタンク内スロッシングの減衰比予測方法の実施の一形態として、たとえば、図１に示す如き円筒タンク１におけるタンク内スロッシングの減衰比の予測に適用する場合を示すもので、完全流体（非粘性流体）の変分原理を、粘性境界層を含む場合に拡張し、粘性力の仮想仕事をガレルキン法で計算する手順に沿って説明する。
【００１９】
１．１  非粘性スロッシングのモード方程式
すなわち、予め、上記円筒タンク１におけるタンク半径をａ、タンク内に貯蔵された液２の深さをｈとし、更に、タンク底面の中心を原点ｏとして図１に示す如き円筒座標を設定する。
【００２０】
上記円筒タンク１について、先ず、上記液２を非粘性と仮定した場合の非粘性スロッシングのモード方程式を、変分原理によって導く。ここで変分原理を用いる必要性は、非粘性スロッシングのモード方程式に導入すべき減衰比を変分原理に基づき決定することから生じる。
【００２１】
液体のラグランジュアン密度は液圧に等しいので、変分原理は次のようになる。
【数１】
0005540712.tif 000002
ここで、Ｌｆはラグランジュアン、Ｖは液体領域、Ｐｌは液圧である。又、上記液圧Ｐｌは次式によって与えられる。
【数２】
0005540712.tif 000003
【００２２】
液体領域の変分である
【数３】
0005540712.tif 000004
を考慮し、非特許文献５に説明されている非粘性スロッシングのモード方程式を導く方法により、上記式（１）は次のように変形される。
【数４】
0005540712.tif 000005
【００２３】
上記式（３）は、タンク底面の中心を原点ｏとする図１に示した如き円筒座標で、次のように表される。
【数５】
0005540712.tif 000006
ここで
【数６】
0005540712.tif 000007
【００２４】
上記において、変分
【数７】
0005540712.tif 000008
の任意独立性より、式（４）から支配方程式Ｅ１＝０、境界条件Ｅｉ＝０（ｉ＝２−５）、液体の体積一定条件Ｅ６＝０が得られる。 
【００２５】
基本次モード（周方向波数１、半径方向１次）に着目すると、Ｅｉ＝０（ｉ＝１−３）から、このモードの速度ポテンシャルが次のように求められる。
【数８】
0005540712.tif 000009
【００２６】
上記式（６）をＥ４＝０に代入することにより、液面波高ηの解が次のように決定できる。
【数９】
0005540712.tif 000010
【００２７】
上記式（６）及び式（７）を、上記式（４）の第５項に代入することにより、モード方程式の変分形が次のように導かれる。
【数１０】
0005540712.tif 000011
ここで
【数１１】
0005540712.tif 000012
【００２８】
上記のようにして求めた非粘性スロッシングのモード方程式である上記式（８）は、速度項に対応するモード座標ｑ（ｔ）の時間による１階微分項がないため、減衰が生じることはない。
【００２９】
よって、次に、上記非粘性スロッシングのモード方程式を、粘性境界層を含む場合に拡張する場合について説明する。
【００３０】
１．２  減衰の予測法
先ず、上記式（６）の速度ポテンシャルによって決定される主流速度（粘性境界層がない部分の速度）から、粘性境界層内の流速を求める。
【００３１】
境界層内で、円筒タンク１のタンク壁面から内向き法線方向に取った座標をξとすると、この座標ξに対する境界層内流速の依存性は、境界層が非常に薄いので、平板に沿う粘性流れの解によって近似できる。したがって、タンク側壁にできる境界層内の流速は、次のように表される。
【数１２】
0005540712.tif 000013
ここで
【数１３】
0005540712.tif 000014
【００３２】
境界層の厚さの尺度として次のパラメータを導入する。
【数１４】
0005540712.tif 000015
【００３３】
νｒは、連続の式
【数１５】
0005540712.tif 000016
の右辺に上記式（１２）及び式（１３）を代入し、壁面で０であるという条件下で薄い境界層内でｒ積分することにより、Ｏ（ｔｂ）の微小量となる。
【００３４】
次に、ナヴィエ−ストークス（Navier-Stokes）方程式の粘性項の、タンク側壁にできる境界層内での仮想仕事表示を求めると、以下のようになる。
【数１６】
0005540712.tif 000017
【００３５】
上記式（１２）及び式（１３）を上記式（１８）に代入することにより、タンク側壁にできる境界層内での仮想仕事をモード座標で次の形に表す。
【数１７】
0005540712.tif 000018
【００３６】
又、同様な方法で、タンク底面にできる境界層に関する仮想仕事をモード座標で次の形に表す。
【数１８】
0005540712.tif 000019
【００３７】
更に、上記式（２１）及び式（２２）の右辺を、前述の式（８）に加えて次式を得る。
【数１９】
0005540712.tif 000020
【００３８】
上記式（２３）は、速度項に対応するモード座標ｑ（ｔ）の時間による１階微分項を含むため、減衰が生じることになる。
【００３９】
したがって、上記式（２３）を基に、モード減衰比を次式によって決定することができるようになる。
【数２０】
0005540712.tif 000021
【００４０】
このように、本発明のタンク内スロッシングの減衰比予測方法は、流体の仮想変位を考えている点がひとつの特長であり、このようにして仮想変位を考えることは、次の考えに基づく。すなわち、多くの流れの問題では、流体の変位は無限であるため考えることができない。しかし、流体振動問題では、考えることができ、粘性力の仮想仕事としての上記式（１８）の評価に効果的に用いることができる。
【００４１】
したがって、本発明のタンク内スロッシングの減衰比予測方法によれば、円筒タンク１のタンク内スロッシングの減衰比を、理論的に求めることができると共に、非特許文献４に示された如き従来のベクトルポテンシャルを用いて減衰比を理論的に求める方法に比して、解析を大幅に容易なものとすることができる。
【００４２】
１．３  数値例題
本発明のタンク内スロッシングの減衰比予測方法の効果として、以上のようにして決定される上記式（２４）に示す如きモード減衰比の妥当性を数値例題を用いて検証した。
【００４３】
図２（イ）（ロ）に、本発明のタンク内スロッシングの減衰比予測方法により決定されるモード減衰比より導かれる対数減衰率δ０＝２πζ０の、タンク半径ａで無次元化された液深（液の深さ）ｈに対する依存性を示す。（イ）はタンク半径ａを０．０７６ｍとした場合、（ロ）はタンク半径ａを０．０３８ｍとした場合をそれぞれ示す。比較のため、図２（イ）（ロ）に、それぞれ非特許文献４のｐ．１８１の図２に示されている解析結果を黒丸で示す。これにより、双方の結果はよく一致することが確かめられた。
【００４４】
なお、上記非特許文献４では、該非特許文献４において得られた解析結果が実験値とよく一致することが確かめられている。又、実験において、液と接するタンク壁面をよく磨くことに特に注力し、磨かないタンクでは減衰が大きく増加することを示している。更に、本発明者は、上記非特許文献４の結果が、非特許文献１のｐ．１１０の式（４．１０ａ）でＫ＝０．５６×２×３．１４とした場合の次の実験式によく一致することを確かめている。
【数２１】
0005540712.tif 000022
【００４５】
更に、図３（イ）（ロ）（ハ）に、本発明のタンク内スロッシングの減衰比予測方法により決定されるモード減衰比より導かれる対数減衰率δ０＝２πζ０の、粘性係数μ、タンク半径ａ、重力加速度ｇに対する依存性をそれぞれ示す。このうち、図３（ハ）に示す重力加速度ｇによる変化は、宇宙工学への応用上重要である。比較のため、図３（イ）（ロ）（ハ）に、非特許文献４の解析法により得られる結果を黒丸で示す。これにより、双方の結果はよく一致することが確かめられた。
【００４６】
以上のように、本発明のタンク内スロッシングの減衰比予測方法を用いて得られたモード減衰比は、非特許文献４、及び、上記式（２５）の２通りの過去のデータによって妥当性が確認できる。
【００４７】
ところで、上記対数減衰率δ０＝２πζ０は、動粘性係数ν＝μ／ρｆに比例するのではなく、その平方根であるν１／２に比例する。この理由を、本発明のタンク内スロッシングの減衰比予測方法に立脚して考察する。
【００４８】
上記式（１８）における下記の２点：
【数２２】
0005540712.tif 000023
によって、上記式（２１）の定数は次のように変化する（式（１６）を利用）。
【数２３】
0005540712.tif 000024
【００４９】
又、式（２２）の定数も同様に変化する。
【００５０】
更に、式（９），（１１）により、質量パラメータは次のように評価できる。
【数２４】
0005540712.tif 000025
【００５１】
したがって、次式が得られる。
【数２５】
0005540712.tif 000026
【００５２】
上記式（２７）は、減衰比が動粘性係数の平方根に比例することを示している。
【００５３】
又、式（１１）より、
【数２６】
0005540712.tif 000027
であり、この関係を上記式（２７）に代入すると、減衰比が
【数２７】
0005540712.tif 000028
に比例することが見出せる。以上により、上記非特許文献１より導かれた経験式（２５）の物理的意味及び理論的根拠が、本発明のタンク内スロッシング減衰比予測方法によって理論的に説明することができるようになる。
【００５４】
次に、図４乃至図７（イ）（ロ）（ハ）は本発明の実施の他の形態として、上記図１乃至図３（イ）（ロ）（ハ）に示した如き円筒タンク１におけるタンク内スロッシングの減衰比の予測方法を、円筒タンク以外の一般軸対称タンクへ拡張して適用する場合について示す。ここで、一般軸対称タンクとは、球形タンク、楕円体形タンク、円筒形の胴部と該胴部の両端部に接続された半球形または半楕円体形の鏡板部を有するタンク等である。たとえば、図４は一般軸対称タンクとしての球形タンク３に応用する場合について示すもので、以下のようにしてある。なお、本実施の形態においても、完全流体（非粘性流体）の変分原理を、粘性境界層を含む場合に拡張し、粘性力の仮想仕事をガレルキン法で計算する手順に沿って説明する。
【００５５】
２．１  非粘性スロッシングのモード方程式
先ず、図４に示すように、上記一般軸対称タンクとしての球形タンク３について、非特許文献５に説明されている方法により非粘性スロッシングのモード方程式を導く。上記非特許文献５では、特長的な点として、図４のように球座標
【００５６】
【数２８】
0005540712.tif 000029
を導入することにより、一般軸対称タンクの場合に対する解析的方法を開発している。球座標の原点Ｏは、静的液面とタンク壁面との接触交線でタンク壁面に接する円錐の頂点である。完結のため、又、数値計算結果の説明で必要となるため、概要を説明する。
【００５７】
静的液面Ｍ、振動液面Ｆ、タンク壁面Ｗの半径座標を、角座標の関数として次のように表す。
【数２９】
0005540712.tif 000030
【００５８】
上記球座標の原点Ｏが図４のようにタンクの上側となるのは、液面のｚ座標においてタンク壁面のｒ座標のｚに関する微分が負のときである。この微分が正のときは、球座標の原点Ｏはタンクの下側となる。
【００５９】
この球座標では、上記図１乃至図３（イ）（ロ）（ハ）の実施の形態の円筒タンク１の場合の式（３）に相当する非粘性スロッシングの変分原理の式は、液体領域の変分
【数３０】
0005540712.tif 000031
を考えることにより、次式を得る。
【数３１】
0005540712.tif 000032
【００６０】
上記タンク壁面Ｗと振動液面Ｆの法線ベクトルＮＷ，ＮＦと面積要素ｄＷ，ｄＦを球座標で表すと、
【数３２】
0005540712.tif 000033
ここで
【数３３】
0005540712.tif 000034
【００６１】
この球座標を使えば、ラプラス方程式を変数分離解法で解くことにより、一般軸対称タンクに関しても、速度ポテンシャルと液２の液面変位を次のように解析的に表わせる（非特許文献５参照）。
【数３４】
0005540712.tif 000035
ここで
【数３５】
0005540712.tif 000036
【００６２】
上記において、固有値λｋは、次の境界条件から定められる。
【数３６】
0005540712.tif 000037
【００６３】
上記式（３７）は、液面とタンク壁面Ｗとの接触交線での境界条件である。この条件は、接触交線でθ方向がタンク壁面Ｗの法線方向に一致することに基づく。
【００６４】
上記式（３３）及び式（３４）を上記式（３２）に代入し、未定定数ａｋ，ｂｋ，ｃｋについて変分をとって、これらの未定定数に関する代数方程式を導く。この代数方程式を、固有値問題に帰着させ、固有値問題を解いて基本モードの固有振動数、固有モード（未定定数間の比）を求める。未定定数間の比を式（３３）及び式（３４）に代入し、式（３３）及び式（３４）で
【数３７】
0005540712.tif 000038
の置き換えをした式を上記式（３２）に代入することにより、次の形にモード方程式を導く。
【数３８】
0005540712.tif 000039
【００６５】
上記のようにして求めた非粘性スロッシングのモード方程式である上記式（３８）は、速度項に対応するモード座標ｑ（ｔ）の時間による１階微分項を含まないため、減衰が生じることはない。
【００６６】
よって、次に、上記非粘性スロッシングのモード方程式を、粘性境界層を含む場合に拡張する場合について説明する。
【００６７】
２．２  減衰の予測法
タンク壁面Ｗの接線方向の流速成分を、式（３３）の速度ポテンシャルを用いて、次式によって計算する。
【数３９】
0005540712.tif 000040
ここで
【数４０】
0005540712.tif 000041
【００６８】
ナヴィエ−ストークス（Navier-Stokes）方程式の粘性項の仮想仕事表示を得るためには、流速成分をナヴィエ−ストークス（Navier-Stokes）方程式が記述できるような曲線座標系で表す必要がある。図４の球座標
【数４１】
0005540712.tif 000042
では、Ｒ方向と境界層のなす角が０度から９０度まで大きく変わる。そこで、球形タンク３のタンク中心に原点を有する新たな球座標
【数４２】
0005540712.tif 000043
を導入する。流速のこの球座標成分を、タンク壁面に垂直な流速成分が０であることを考慮して、次式によって計算する。
【数４３】
0005540712.tif 000044
ここで
【数４４】
0005540712.tif 000045
【００６９】
ナヴィエ−ストークス（Navier-Stokes）方程式の粘性項にて、境界層内の仮想仕事表示は以下のようになる。
【数４５】
0005540712.tif 000046
【００７０】
上記式（４２）を上記式（４４）に代入し、仮想仕事をモード座標で次のように表す。
【数４６】
0005540712.tif 000047
ここで
Ｃ０：積分によって生じる定数
【００７１】
ナヴィエ−ストークス（Navier-Stokes）方程式の粘性項は多くの項を有するが、ｆのＲ１に関する２階微分と、ｆのθ１に関する２階微分の項が支配的で、（ｔｂ）−２のオーダである。上記式（４６）の右辺を上記式（３８）に加えて
【数４７】
0005540712.tif 000048
を導く。
【００７２】
上記式（４７）は、速度項に対応するモード座標ｑ（ｔ）の時間による１階微分項を含むため、減衰が生じることになる。
【００７３】
したがって、上記式（４７）から次式によって減衰比を求めることができる。
【数４８】
0005540712.tif 000049
【００７４】
このように、本実施の形態によれば、非特許文献４に示された如き従来のベクトルポテンシャルを用いて減衰比を理論的に求める方法では解析が非常に複雑になるために適用するのが困難であった円筒タンク以外の一般軸対称タンクとしての球形タンク３についても、容易な解析で減衰比を理論的に求めることができる。
【００７５】
２．３  数値例題
本実施の形態のタンク内スロッシングの減衰比予測方法の効果として、以上のようにして決定される上記式（４８）に示す如き減衰比の妥当性を数値例題を用いて検証した。
【００７６】
図５に、本実施の形態の減衰比予測方法により球形タンク３（半径ａ＝０．３３４ｍ）の場合に決定される減衰比より導かれる対数減衰率δ０＝２πζ０の、液体充填率（液体の体積／タンクの体積）に対する依存性を示す（線Ａ）。比較のため、次の経験式（非特許文献１におけるｐ．１１２の式（４．１２））による値を図中に線Ｂで示す。
【数４９】
0005540712.tif 000050
【００７７】
なお、上記式（４９）において、ｃ＝１としたものは、上記非特許文献１におけるｐ．１１２の式（４．１２）であり、非特許文献１中の参考文献（４．１５）に基づいた結果である。ところで、図１乃至図３（イ）（ロ）（ハ）に示した実施の形態の円筒タンク１の場合における図２及び図３で検証に用いた非特許文献４の解析結果は、前述したように、非特許文献４の実験値や、上記式（２５）に良く一致するが、非特許文献１のｐ．１０９の式（４．８ａ）（非特許文献１中の参考文献（４．１５）に基づいた結果）の０．６４倍である。そこで、図５では、上記線Ｂとして、上記式（４９）でｃ＝０．６４とした結果を示し、本実施の形態のものと比較するようにしてある。
【００７８】
上記図５より、本実施の形態のタンク内スロッシングの減衰比予測方法により決定される減衰比より導かれる減衰率δ０＝２πζ０の値（線Ａ）は、上記式（４９）による値（線Ｂ）に比べ、充填率が高い場合には小さく、充填率が低い場合には、大きいことが判明した。
【００７９】
この理由を考察するため、先ず、球形タンク３の液体充填率と、非粘性スロッシング問題の代表的パラメータ（無次元固有振動数、スロッシングマス）との相関を、過去の文献と比較した。その結果、図６（イ）（ロ）に示すように良い一致が認められ、これらのパラメータの妥当性が確かめられた。
【００８０】
したがって、図５に示された差異は、減衰解析に起因する。タンク壁面Ｗと静的液面Ｍにおける境界条件は、式（３１）の第２項及び第３項より次式によって与えられる。
【数５０】
0005540712.tif 000051
ここで、ＮＭは静的液面Ｍの法線ベクトルである。
【００８１】
上記式（５０）及び式（５１）は、∇φの外向き法線方向成分（各式の左辺）に関し、静的液面Ｍとタンク壁面Ｗとで、異なった境界条件が課せられることを意味する。充填率が高い場合は、静的液面Ｍとタンク壁面Ｗとの交線で、外向き法線ベクトル−ＮＭ、ＮＷの方向が近くなる。このため、ガレルキン法の使用に伴う局所的誤差によって、上記式（５１）の左辺の右辺に対する比：
【数５１】
0005540712.tif 000052
が１より小さくなる。一方、充填率が低い場合、この比は１より大きくなる。上記式（５２）の分子は次のように変形でき
【数５２】
0005540712.tif 000053
この式において
【数５３】
0005540712.tif 000054
となる（流体速度はタンク壁面Ｗの接線方向に向くため）。
【００８２】
したがって、上記式（５２）は、次のようになる。
【数５４】
0005540712.tif 000055
【００８３】
タンク壁面Ｗの接線方向の流速は液面近くで大きくなるため、減衰比を決定する仮想仕事（式（４４））は、主として式（５５）の分子によって決まる。そのために、上記式（５５）の分子の局所的誤差によって上記式（５２）の比が１より小さくなり、図５における線Ａと、比較として示した線Ｂで表された結果の差が生じる。なお、式（５５）の分子と対照的に、式（５５）の分母の液面変位は、液面上でのみ定義されるため、局所的誤差に影響されない。
【００８４】
以上の考察に基づき、図５の線Ａの結果に１／κ２を乗じる補正を加えるようにする。ここで、２乗であることに注意する。この理由は、仮想仕事（式（４４））が粘性力と変位の積によって与えられるためである。本補正によって得た結果を、図５に線Ａ１で示す。図５の線Ａ１と線Ｂの比較により、本補正が、線Ａと線Ｂの差異の低減に有効であることが分かる。
【００８５】
したがって、図５の線Ａ１の結果より、本実施の形態のタンク内スロッシングの減衰比予測方法は、結果として、図５に線Ｂで示した上記式（４９）の実験式に対し液体充填率６０％付近で良く合うことが分かる。なお、この液体充填率６０％付近は、一般に、球形タンク３に働く力、モーメントが最大となり、スロッシング挙動の把握が実際上最も重要となる液体充填率である。
【００８６】
図７（イ）（ロ）（ハ）は、本実施の形態のタンク内スロッシングの減衰比予測方法により決定される減衰比より導かれる対数減衰率δ０＝２πζ０の、粘性係数μ、タンク半径ａ、重力加速度ｇに対する依存性をそれぞれ示す。比較のため、図７（イ）（ロ）（ハ）に、上記式（４９）により得られる結果を黒丸で示す。これにより、双方の結果はよく一致することが確かめられた。
【００８７】
以上のように、本実施の形態によって得られた減衰比については、非特許文献１の経験式（式（４９））のデータによって妥当性が確認できる。
【００８８】
なお、本発明は上記実施の形態のみに限定されるものではなく、図４乃至図７（イ）（ロ）（ハ）の実施の形態では、球形タンク３に適用する場合を示したが、球座標を用いてラプラス方程式を変数分離解法で解くことにより、式（３３）及び式（３４）と同様にして速度ポテンシャルと液２の液面変位を次のように解析的に表わすことができれば、楕円体形タンクや、円筒形の胴部と該胴部の両端部に接続された半球形または半楕円体形の鏡板部を有するタンク等、球形タンク３以外のいかなる形式の一般軸対称タンクに付いて適用してもよい。
【００８９】
その他本発明の要旨を逸脱しない範囲内で種々変更を加え得ることは勿論である。
【符号の説明】
【００９０】
１  円筒タンク（一般軸対称タンク）
２  液
３  球形タンク（一般軸対称タンク）
【図１】
0005540712.tif 000056
【図２】
0005540712.tif 000057
【図３】
0005540712.tif 000058
【図４】
0005540712.tif 000059
【図５】
0005540712.tif 000060
【図６】
0005540712.tif 000061
【図７】
0005540712.tif 000062